(57)【要約】【課題】基本性能を劣化させることなく、ＶＨＦローバンドにおけるＰＡＬ方式およびＳＥＣＡＭ−Ｌ方式に対応させることができるテレビジョン放送信号受信チューナを提供すること。【解決手段】ＰＡＬ方式およびＳＥＣＡＭ−Ｌ方式のテレビジョン放送信号を受信可能なテレビジョン放送信号受信チューナ１において、一次同調回路１１および二次同調回路１２と、一次同調回路１１および二次同調回路１２の結合度を調整する結合用のインダクタＬ５とを有するＲＦ同調回路４を備え、ＶＨＦローバンドにあるＳＥＣＡＭ−Ｌ方式のテレビジョン放送信号受信時に、ＲＦ同調回路４は結合用インダクタによる結合度をＰＡＬ方式のテレビジョン放送信号受信時に比べて小さく構成した。【選択図】図１
2011023891.tif 000002
【特許請求の範囲】
【請求項１】
ＰＡＬ方式およびＳＥＣＡＭ−Ｌ方式のテレビジョン放送信号を受信可能なテレビジョン放送信号受信チューナにおいて、
一次同調回路および二次同調回路と、前記一次同調回路および前記二次同調回路の結合度を調整する結合用インダクタとを有する複同調回路を備え、
ＶＨＦローバンドにある前記ＳＥＣＡＭ−Ｌ方式のテレビジョン放送信号受信時に、前記複同調回路は前記結合用インダクタによる結合度を前記ＰＡＬ方式のテレビジョン放送信号受信時に比べて小さくしたことを特徴とするテレビジョン放送信号受信チューナ。
【請求項２】
前記結合用インダクタに対して抵抗を並列に接続する接続状態と前記抵抗を非接続にする非接続状態とを切り換えるスイッチ部を備え、
前記結合用インダクタは、前記一次同調回路と前記二次同調回路との接続点とグランドとの間に接続され、
前記スイッチ部は、前記ＶＨＦローバンドにあるＳＥＣＡＭ−Ｌ方式のテレビジョン放送信号受信時に、前記結合用インダクタに前記抵抗を接続することを特徴とする請求項１に記載のテレビジョン放送信号受信チューナ。
【請求項３】
前記スイッチ部は、コレクタが前記結合用インダクタの一端に接続され、エミッタが前記結合用インダクタの他端に接続され、コレクタ−エミッタ間にＯＮ抵抗を設けたトランジスタを有し、
前記ＶＨＦローバンドにあるＳＥＣＡＭ−Ｌ方式のテレビジョン放送信号受信時に、前記トランジスタがＯＮにされることを特徴とする請求項２に記載のテレビジョン放送信号受信チューナ。
【請求項４】
前記スイッチ部は、アノードが前記結合用インダクタの一端に接続されたスイッチングダイオードと、前記スイッチングダイオードのカソードおよび前記結合用インダクタの他端間に設けられた抵抗とを有し、
前記ＶＨＦローバンドにあるＳＥＣＡＭ−Ｌ方式のテレビジョン放送信号受信時に、前記スイッチングダイオードがＯＮにされることを特徴とする請求項２に記載のテレビジョン放送信号受信チューナ。
【発明の詳細な説明】
【技術分野】
【０００１】
本発明は、ＰＡＬ方式およびＳＥＣＡＭ方式のテレビジョン放送信号を受信可能なテレビジョン放送信号受信チューナに関する。
【背景技術】
【０００２】
欧州においては、テレビジョン放送方式として、ＰＡＬ方式およびＳＥＣＡＭ−Ｌ方式が採用されており、ＰＡＬ方式およびＳＥＣＡＭ（Ｌ）方式に対応したテレビジョン放送信号を受信可能なチューナが開発されている。従来、ＰＡＬ方式およびＳＥＣＡＭ（Ｌ）方式に対応したテレビジョン放送信号受信チューナとして、ＶＨＦハイバンドとＶＨＦローバンドとで回路構成を切り換えるものが知られている（例えば、特許文献１参照）。
【０００３】
図６に示すように、このテレビジョン放送信号受信チューナ２１は、アンテナ同調回路２２と、ＲＦアンプ回路２３と、ＲＦ同調回路２４と、ＶＨＦミキサ回路２５と、ＶＨＦ局部発振回路２６と、ＩＦ同調回路２７とを備え、ＲＦ同調回路２４の回路構成を切り換えることで、ＶＨＦハイバンドおよびＶＨＦローバンドのテレビジョン放送信号を受信可能としている。
【０００４】
ＲＦ同調回路２４は、ＲＦアンプ回路２３とＶＨＦミキサ回路２５との間に設けられた複同調回路であり、一次同調回路３１および二次同調回路３２を有して構成されている。一次同調回路３１は、ＲＦアンプ回路２３の出力端に接続されている。ＲＦアンプ回路２３の出力端は、コンデンサＣ３１およびバラクタダイオードＶＤ３１を介してグランドに接地される。バラクタダイオードＶＤ３１は、カソードが抵抗Ｒ３１を介してチューニング電圧を出力する電源Ｂ３１に接続され、アノードがグランドに接地される。また、バラクタダイオードＶＤ３１のカソードは、コンデンサＣ３１を介してインダクタＬ３１、Ｌ３２からなる直列回路に接続される。
【０００５】
二次同調回路３２は、一次同調回路３１のインダクタＬ３２の一端に接続されている。一次同調回路３１のインダクタＬ３２の一端は、インダクタＬ３３、コンデンサＣ３２、インダクタＬ３４、バラクタダイオードＶＤ３２からなる直列回路に接続される。バラクタダイオードＶＤ３２は、カソードが抵抗Ｒ３２を介してチューニング電圧を出力する電源Ｂ３１に接続され、アノードがＶＨＦミキサ回路２５の入力端に接続される。インダクタＬ３４とバラクタダイオードＶＤ３２のカソードとの接続点は、バラクタダイオードＶＤ３３を介してグランドに接地される。バラクタダイオードＶＤ３３は、カソードが抵抗Ｒ３２を介してチューニング電圧を出力する電源Ｂ３１に接続され、アノードがグランドに接地される。
【０００６】
また、一次同調回路３１のインダクタＬ３１、Ｌ３２の接続点は、スイッチングダイオードＳＤ３１、ＳＤ３２が設けられたバイパスライン３３を介して二次同調回路３２のインダクタＬ３３およびコンデンサＣ３２の接続点に接続される。スイッチングダイオードＳＤ３１は、アノードがインダクタＬ３１、Ｌ３２の接続点に接続され、カソードがスイッチングダイオードＳＤ３２のカソードに接続される。また、スイッチングダイオードＳＤ３２は、アノードがインダクタＬ３３およびコンデンサＣ３２の接続点に接続される。スイッチングダイオードＳＤ３１、ＳＤ３２のカソードの接続点は、コンデンサＣ３３を介してグランドに接地されると共に、抵抗Ｒ３３を介してスイッチ型電源３４に接続される。
【０００７】
一次同調回路３１と二次同調回路３２との接続点は、結合用のインダクタＬ３５およびコンデンサＣ３４を介してグランドに接地される。結合用のインダクタＬ３５およびコンデンサＣ３４との接続点は、電源Ｂ３２に接続される。電源Ｂ３２は、抵抗Ｒ３４を介してスイッチング用トランジスタＴ３１のコレクタに接続される。スイッチング用トランジスタＴ３１は、コレクタが抵抗Ｒ３４を介して電源Ｂ３２に接続され、エミッタがグランドに接地され、コレクタ−エミッタ間にＯＮ抵抗を有している。
【０００８】
このように構成されたＲＦ同調回路２４において、ＶＨＦハイバンドのテレビジョン放送受信時には、スイッチ型電源３４およびスイッチング用トランジスタＴ３１がＯＦＦにされる。これにより、電源Ｂ３２から出力された出力電圧がインダクタＬ３５、Ｌ３２、Ｌ３３を介してスイッチングダイオードＳＤ３１、ＳＤ３２のアノードに印加され、一次同調回路３１と二次同調回路３２とがバイパスライン３３を介して導通される。この場合、一次同調回路３１には、バラクタダイオードＶＤ３１およびインダクタＬ３１により並列共振回路が構成され、二次同調回路３２には、インダクタＬ３４およびバラクタダイオードＶＤ３２、ＶＤ３３により並列共振回路が構成される。
【０００９】
一方、ＶＨＦローバンドのテレビジョン放送受信時には、スイッチ型電源３４およびスイッチング用トランジスタＴ３１がＯＮにされる。スイッチ型電源３４のＯＮにより、逆方向電圧がスイッチ型電源３４から抵抗Ｒ３３を介してスイッチングダイオードＳＤ３１、ＳＤ３２のカソードに印加される。このとき、順方向電圧が電源Ｂ３２からインダクタＬ３５、Ｌ３２、Ｌ３３を介してスイッチングダイオードＳＤ３１、ＳＤ３２のアノードに印加されるが、スイッチングダイオードＳＤ３１、ＳＤ３２に印加される逆方向電圧が順方向電圧よりも大きく、バイパスライン３３が遮断される。
【００１０】
この場合、一次同調回路３１には、バラクタダイオードＶＤ３１、インダクタＬ３１、Ｌ３２により並列共振回路が構成され、二次同調回路３２には、インダクタＬ３３、Ｌ３４、バラクタダイオードＶＤ３２、ＶＤ３３により並列共振回路が構成される。このとき、一次同調回路３１と二次同調回路３２は、インダクタＬ３５により高周波的に結合される。このようにして、テレビジョン放送信号受信チューナ２１のＲＦ同調回路２４の回路構成を切り換えることにより、ＶＨＦハイバンドおよびＶＨＦローバンドのテレビジョン放送信号を受信可能に構成されている。
【先行技術文献】
【特許文献】
【００１１】
【特許文献１】特開平１１−３４１３９１号公報
【発明の概要】
【発明が解決しようとする課題】
【００１２】
ところで、ＶＨＦローバンドにあるＳＥＣＡＭ−Ｌ方式のテレビジョン放送信号は、ＰＡＬ方式のテレビジョン放送信号と比較して、映像信号Ｐと音声信号Ｓの周波数の高低が反転されている。この場合、図７（ａ）、（ｂ）に示すように、ＶＨＦローバンドのＰＡＬ方式のテレビジョン放送信号の受信時には、音声信号Ｓに対し上隣接妨害に相当する妨害信号ＵＤが存在し、ＳＥＣＡＭ−Ｌ方式のテレビジョン放送信号の受信時には、音声信号Ｓに対し下隣接妨害に相当する妨害信号ＵＤが存在している。
【００１３】
上記したテレビジョン放送信号受信チューナ２１は、図７（ａ）に示すように、ＰＡＬ方式の基本性能を優先させて、上隣接の妨害信号ＵＤを減衰させるように設計されているため、図７（ｂ）に示すように、ＳＥＣＡＭ−Ｌ方式のテレビジョン放送信号の受信時に下隣接の妨害信号ＵＤを十分に減衰させることができない。このため、上記のテレビジョン放送信号受信チューナ２１は、ＥＭＣ耐性等により規定される基本性能に対して余裕がなく、量産時の基本性能のばらつきを吸収することが困難となっていた。
【００１４】
本発明はかかる点に鑑みてなされたものであり、基本性能を劣化させることなく、ＶＨＦローバンドにおけるＰＡＬ方式およびＳＥＣＡＭ−Ｌ方式に対応させることができるテレビジョン放送信号受信チューナを提供することを目的とする。
【課題を解決するための手段】
【００１５】
本発明のテレビジョン放送信号受信チューナは、ＰＡＬ方式およびＳＥＣＡＭ−Ｌ方式のテレビジョン放送信号を受信可能なテレビジョン放送信号受信チューナにおいて、一次同調回路および二次同調回路と、前記一次同調回路および前記二次同調回路の結合度を調整する結合用インダクタとを有する複同調回路を備え、ＶＨＦローバンドにある前記ＳＥＣＡＭ−Ｌ方式のテレビジョン放送信号受信時に、前記複同調回路は前記結合用インダクタによる結合度を前記ＰＡＬ方式のテレビジョン放送信号受信時に比べて小さくしたことを特徴とする。
【００１６】
この構成によれば、ＶＨＦローバンドにあるＰＡＬ方式のテレビジョン信号受信時には、結合用インダクタによる結合度が大きく調整されるため、上隣接の妨害信号を十分に減衰させることができる。一方、ＶＨＦローバンドにあるＳＥＣＡＭ−Ｌ方式のテレビジョン放送信号受信時には、ＶＨＦローバンドにあるＰＡＬ方式のテレビジョン放送信号受信時に比べて結合用インダクタによる結合度が小さく調整されることにより、受信周波数の帯域幅が狭められ、下隣接の妨害信号を十分に減衰させることができる。したがって、ＰＡＬ方式およびＳＥＣＡＭ−Ｌ方式に対応したテレビジョン放送信号受信チューナにおいて、ＥＭＣ耐性等により規定される基本性能を確保させ、量産時の基本性能のばらつきを吸収することができる。
【００１７】
本発明は、上記テレビジョン放送信号受信チューナにおいて、前記結合用インダクタに対して抵抗を並列に接続する接続状態と前記抵抗を非接続にする非接続状態とを切り換えるスイッチ部を備え、前記結合用インダクタは、前記一次同調回路と前記二次同調回路との接続点とグランドとの間に接続され、前記スイッチ部は、前記ＶＨＦローバンドにあるＳＥＣＡＭ−Ｌ方式のテレビジョン放送信号受信時に、前記結合用インダクタに前記抵抗を接続することを特徴とする。
【００１８】
この構成によれば、ＶＨＦローバンドにあるＳＥＣＡＭ−Ｌ方式のテレビジョン信号受信時に、結合用インダクタに抵抗を並列に接続して、結合用インダクタによる結合度を小さくすることができる。
【００１９】
本発明は、上記テレビジョン放送信号受信チューナにおいて、前記スイッチ部は、コレクタが前記結合用インダクタの一端に接続され、エミッタが前記結合用インダクタの他端に接続され、コレクタ−エミッタ間にＯＮ抵抗を設けたトランジスタを有し、前記ＶＨＦローバンドにあるＳＥＣＡＭ−Ｌ方式のテレビジョン放送信号受信時に、前記トランジスタがＯＮにされることを特徴とする。
【００２０】
この構成によれば、ＶＨＦローバンドにあるＳＥＣＡＭ−Ｌ方式のテレビジョン信号受信時に、トランジスタがＯＮにされることで、結合用インダクタにＯＮ抵抗を並列に接続し、結合用インダクタによる結合度を小さくすることができる。
【００２１】
本発明は、上記テレビジョン放送信号受信チューナにおいて、前記スイッチ部は、アノードが前記結合用インダクタの一端に接続されたスイッチングダイオードと、前記スイッチングダイオードのカソードおよび前記結合用インダクタの他端間に設けられた抵抗とを有し、前記ＶＨＦローバンドにあるＳＥＣＡＭ−Ｌ方式のテレビジョン放送信号受信時に、前記スイッチングダイオードがＯＮにされることを特徴とする。
【００２２】
この構成によれば、ＶＨＦローバンドにあるＳＥＣＡＭ−Ｌ方式のテレビジョン信号受信時に、スイッチングダイオードがＯＮにされることで、結合用インダクタに抵抗を並列に接続し、結合用インダクタによる結合度を小さくすることができる。
【発明の効果】
【００２３】
本発明によれば、基本性能を劣化させることなく、ＶＨＦローバンドにおけるＰＡＬ方式およびＳＥＣＡＭ−Ｌ方式に対応させることができる。
【図面の簡単な説明】
【００２４】
【図１】本発明に係るテレビジョン放送信号受信チューナの実施の形態を示す図であり、テレビジョン放送信号受信チューナの回路構成図である。
【図２】本発明に係るテレビジョン放送信号受信チューナの実施の形態を示す図であり、ＶＨＦローバンドにあるテレビジョン放送信号受信時のレスポンス特性の一例を示す図である。
【図３】本発明に係るテレビジョン放送信号受信チューナの実施の形態を示す図であり、テレビジョン放送信号受信チューナから図示しない復調回路までの映像特性の一例を示す図である。
【図４】本発明に係るテレビジョン放送信号受信チューナの変形例を示す図であり、テレビジョン放送信号受信チューナの部分構成図である。
【図５】本発明に係るテレビジョン放送信号受信チューナの他の変形例を示す図であり、テレビジョン放送信号受信チューナの部分構成図である。
【図６】本発明に係るテレビジョン放送信号受信チューナの従来例を示す図であり、テレビジョン放送信号受信チューナの回路構成図である。
【図７】本発明に係るテレビジョン放送信号受信チューナの従来例を示す図であり、ＶＨＦローバンドにあるテレビジョン放送信号受信時のレスポンス特性の一例を示す図である。
【発明を実施するための形態】
【００２５】
以下、本発明の実施の形態について添付図面を参照して詳細に説明する。なお、本発明の実施の形態に係るテレビジョン放送信号受信チューナは、ＶＨＦローバンドにおけるＳＥＣＡＭ−Ｌ方式のテレビジョン放送信号受信時に、一次側同調回路と二次側同調回路との結合度を小さくすることにより、基本性能を確保した状態でＰＡＬ方式およびＳＥＣＡＭ−Ｌ方式に対応させるようにしたものである。図１は、本発明の実施の形態に係るテレビジョン放送信号受信チューナの回路構成図である。
【００２６】
図１に示すように、テレビジョン放送信号受信チューナ１は、ＰＡＬ方式およびＳＥＣＡＭ（Ｌ）方式に対応したものであり、アンテナ同調回路２と、ＲＦアンプ回路３と、ＲＦ同調回路４と、ＶＨＦミキサ回路５と、ＶＨＦ局部発振回路６と、ＩＦ同調回路７とを備えている。図示しないアンテナ素子から受信された高周波信号は、アンテナ同調回路２において同調周波数成分が取り出される。
【００２７】
アンテナ同調回路２を通過した高周波信号は、ＲＦアンプ回路３において増幅され、ＲＦ同調回路４において同調周波数成分が取り出される。ＲＦ同調回路４を通過した高周波信号は、ＶＨＦ局部発振回路６から出力された局部発振信号と共にＶＨＦミキサ回路５に入力される。ＶＨＦミキサ回路５に入力された高周波信号は、局部発振信号と掛け合わされて中間周波信号に周波数変換される。ＶＨＦミキサ回路５で周波数変換された中間周波信号は、ＩＦ同調回路７において同調周波数成分が取り出され、後段の回路に出力される。
【００２８】
このテレビジョン放送信号受信チューナ１においては、ＶＨＦハイバンドおよびＶＨＦローバンドのテレビジョン放送信号受信時に、ＲＦ同調回路４の回路構成が切り換えられるように構成されている。ＲＦ同調回路４は、複同調回路であり、ＲＦアンプ回路３の出力端に接続される一次同調回路１１と、ＶＨＦミキサ回路５の入力端に接続される二次同調回路１２とを有して構成されている。
【００２９】
一次同調回路１１において、ＲＦアンプ回路３の出力端は、コンデンサＣ１およびバラクタダイオードＶＤ１を介してグランドに接地される。バラクタダイオードＶＤ１は、カソードが抵抗Ｒ１を介してチューニング電圧を出力する電源Ｂ１に接続され、アノードがグランドに接地される。また、バラクタダイオードＶＤ１のカソードは、コンデンサＣ１を介してインダクタＬ１、Ｌ２からなる直列回路に接続される。
【００３０】
二次同調回路１２は、一次同調回路１１のインダクタＬ２のグランド側の一端に接続されている。一次同調回路１１のインダクタＬ２の一端は、インダクタＬ３、コンデンサＣ２、インダクタ４、バラクタダイオードＶＤ２からなる直列回路に接続される。バラクタダイオードＶＤ２は、カソードが抵抗Ｒ２を介してチューニング電圧を出力する電源Ｂ１に接続され、アノードがＶＨＦミキサ回路５の入力端に接続される。インダクタＬ４とバラクタダイオードＶＤ２のカソードとの接続点は、バラクタダイオードＶＤ３を介してグランドに接地される。バラクタダイオードＶＤ３は、カソードが抵抗Ｒ２を介してチューニング電圧を出力する電源Ｂ１に接続され、アノードがグランドに接地される。
【００３１】
また、一次同調回路１１のインダクタＬ１、Ｌ２の接続点は、スイッチングダイオードＳＤ１、ＳＤ２が設けられたバイパスライン１３を介して二次同調回路１２のインダクタＬ３およびコンデンサＣ２の接続点に接続される。スイッチングダイオードＳＤ１は、アノードがインダクタＬ１、Ｌ２の接続点に接続され、カソードがスイッチングダイオードＳＤ２のカソードに接続される。また、スイッチングダイオードＳＤ２は、アノードがインダクタＬ３およびコンデンサＣ２の接続点に接続される。スイッチングダイオードＳＤ１、ＳＤ２のカソードの接続点は、コンデンサＣ３を介してグランドに接地されると共に、抵抗Ｒ３を介してスイッチ型電源１４に接続される。
【００３２】
一次同調回路１１と二次同調回路１２との接続点は、結合用のインダクタＬ５およびコンデンサＣ４を介してグランドに接地される。この結合用のインダクタＬ５は、一次同調回路１１と二次同調回路１２とを高周波的に結合する結合用コイルであり、この結合用コイルによる結合度によりＲＦ同調回路４における受信周波数の帯域幅が調整される。なお、結合用のインダクタＬ５の結合度の調整動作については後述する。
【００３３】
結合用のインダクタＬ５のグランド側に対して反対側の一端は、コンデンサＣ５を介してスイッチング用トランジスタＴ１のコレクタに接続される。スイッチング用トランジスタＴ１は、コレクタが抵抗Ｒ４を介して電源Ｂ２に接続され、エミッタがグランドに接地され、コレクタ−エミッタ間にＯＮ抵抗を有している。また、結合用のインダクタＬ５およびコンデンサＣ４との接続点は、電源Ｂ２に接続される。
【００３４】
なお、本実施の形態においては、ＶＨＦミキサ回路５、ＶＨＦ局部発振回路６、ＩＦ同調回路７、スイッチ型電源１４、スイッチング用トランジスタＴ１は、テレビジョン放送信号受信チューナ１のＩＣ内に設けられている。しかしながら、この構成に限定されるものではなく、これらをＩＣ外に設けるようにしてもよい。
【００３５】
このように構成されたテレビジョン放送信号受信チューナ１において、スイッチ型電源１４およびスイッチング用トランジスタＴ１のＯＮ・ＯＦＦにより、ＶＨＦハイバンドおよびＶＨＦローバンドのテレビジョン放送信号を受信可能にする。さらに、ＶＨＦローバンドにあるＰＡＬ方式のテレビジョン放送信号受信時に受信周波数の帯域幅を広げ、ＳＥＣＡＭ−Ｌ方式のテレビジョン放送信号受信時に受信周波数の帯域幅を狭めるように結合用のインダクタＬ５による結合度が調整される。
【００３６】
以下、テレビジョン放送信号受信チューナによる受信動作について説明する。ＶＨＦハイバンドのテレビジョン放送信号の受信時には、スイッチ型電源１４がＯＦＦ、スイッチング用トランジスタＴ１がＯＦＦにされる。この構成により、順方向電圧が電源Ｂ２からインダクタＬ５、Ｌ２、Ｌ３を介してスイッチングダイオードＳＤ１、ＳＤ２のアノードに印加され、一次同調回路１１と二次同調回路１２とがバイパスライン１３を介して導通される。
【００３７】
そして、一次同調回路１１には、バラクタダイオードＶＤ１、インダクタＬ１により並列共振回路が構成され、二次同調回路１２には、インダクタＬ４、バラクタダイオードＶＤ２、ＶＤ３により並列共振回路が構成される。このように構成された２つの共振回路のバラクタダイオードＶＤ１、ＶＤ２、ＶＤ３のカソードにチューニング電圧が印加されることにより、ＶＨＦハイバンドのテレビジョン放送信号受信時におけるＲＦ同調回路４の同調周波数が調整される。
【００３８】
ＶＨＦローバンドにあるＰＡＬ方式のテレビジョン放送信号の受信時には、スイッチ型電源１４がＯＮ、スイッチング用トランジスタＴ１がＯＦＦにされる。スイッチ型電源１４のＯＮにより、逆方向電圧がスイッチ型電源１４から抵抗Ｒ３を介してスイッチングダイオードＳＤ１、ＳＤ２のカソードに印加される。このとき、順方向電圧が電源Ｂ２からインダクタＬ５、Ｌ２、Ｌ３を介してスイッチングダイオードＳＤ１、ＳＤ２のアノードに印加されるが、スイッチングダイオードＳＤ１、ＳＤ２に印加される逆方向電圧が順方向電圧よりも大きくなり、バイパスライン１３が遮断される。
【００３９】
この構成により、一次同調回路１１と二次同調回路１２とが、結合用のインダクタＬ５により高周波的に結合される。また、スイッチング用トランジスタＴ１のＯＦＦにより、スイッチング用トランジスタＴ１のＯＮ抵抗が結合用のインダクタＬ５から切り離される。これにより、結合用のインダクタＬ５による結合度が大きく調整される。なお、このときの受信周波数の帯域幅は、ローバンドにおけるＰＡＬ方式の希望波信号を受信可能であり、かつ妨害信号を十分に減衰可能な帯域幅に設定される。
【００４０】
そして、一次同調回路１１には、バラクタダイオードＶＤ１、インダクタＬ１、Ｌ２により並列共振回路が構成され、二次同調回路１２には、インダクタＬ３、Ｌ４、バラクタダイオードＶＤ２、ＶＤ３により並列共振回路が構成される。このように構成された共振回路のバラクタダイオードＶＤ１、ＶＤ２、ＶＤ３のカソードにチューニング電圧が印加されることにより、ＶＨＦローバンドにあるＰＡＬ方式のテレビジョン放送信号受信時におけるＲＦ同調回路４の同調周波数が調整される。
【００４１】
ＶＨＦローバンドにあるＳＥＣＡＭ−Ｌ方式のテレビジョン放送信号の受信時には、スイッチ型電源１４がＯＮ、スイッチング用トランジスタＴ１がＯＮにされる。スイッチ型電源１４のＯＮにより、逆方向電圧がスイッチ型電源１４から抵抗Ｒ３を介してスイッチングダイオードＳＤ１、ＳＤ２のカソードに印加される。このとき、順方向電圧が電源Ｂ１からインダクタＬ５、Ｌ２、Ｌ３を介してスイッチングダイオードＳＤ１、ＳＤ２のアノードに印加されるが、スイッチングダイオードＳＤ１、ＳＤ２に印加される逆方向電圧が順方向電圧よりも大きくなり、バイパスライン１３が遮断される。
【００４２】
この構成により、一次同調回路１１と二次同調回路１２とが、結合用のインダクタＬ５により高周波的に結合される。また、スイッチング用トランジスタＴ１のＯＮにより、インダクタＬ５のグランド側とは反対側の他端が、コンデンサＣ５およびスイッチング用トランジスタＴ１のコレクタ−エミッタ間を介してグランドに接地される。したがって、結合用のインダクタＬ５に対してスイッチング用トランジスタＴ１のＯＮ抵抗が並列に接続される。
【００４３】
これにより、結合用のインダクタＬ５による結合度が、ＶＨＦローバンドにあるＰＡＬ方式のテレビジョン放送信号受信時と比較して小さく調整される。なお、このときの受信周波数の帯域幅は、ローバンドにおけるＳＥＣＡＭ方式の希望波信号を受信可能であり、かつＰＡＬ方式とは高低が反転してあらわれる妨害信号を十分に減衰可能な帯域幅に設定される。
【００４４】
そして、一次同調回路１１には、バラクタダイオードＶＤ１、インダクタＬ１、Ｌ２により並列共振回路が構成され、二次同調回路１２には、インダクタＬ３、Ｌ４、バラクタダイオードＶＤ２、ＶＤ３により並列共振回路が構成される。このように構成された共振回路のバラクタダイオードＶＤ１、ＶＤ２、ＶＤ３のカソードにチューニング電圧が印加されることにより、ＶＨＦローバンドにあるＰＡＬ方式のテレビジョン放送信号受信時におけるＲＦ同調回路４の同調周波数が調整される。
【００４５】
次に、図２を参照して、ＶＨＦローバンドにあるテレビジョン放送信号受信時のアンテナ−ＶＨＦミキサ回路間のレスポンス特性について説明する。図２は、本発明の実施の形態に係るテレビジョン放送信号受信チューナのＶＨＦローバンドにあるテレビジョン放送信号受信時のレスポンス特性の一例を示す図である。なお、図２において、（ａ）は本実施の形態におけるＰＡＬ方式のテレビジョン放送信号受信時、（ｂ）は比較例におけるＳＥＣＡＭ−Ｌ方式のテレビジョン放送信号受信時、（ｃ）は本実施の形態におけるＳＥＣＡＭ−Ｌ方式のテレビジョン放送信号受信時のレスポンス特性をそれぞれ示している。
【００４６】
最初に、ＶＨＦローバンドにあるＰＡＬ方式のテレビジョン放送信号受信時のレスポンス特性について説明する。ＶＨＦローバンドにあるＰＡＬ方式のテレビジョン放送信号受信時には、スイッチ型電源１４がＯＮ、スイッチング用トランジスタＴ１がＯＦＦにされ、一次同調回路１１と二次同調回路１２とが結合用のインダクタＬ５により高周波的に結合される。この場合、結合用のインダクタＬ５の結合度が大きく設定され、図２（ａ）に示すようなレスポンス特性が得られる。
【００４７】
このレスポンス特性においては、受信周波数帯域の低域側から高域側にかけて映像信号Ｐ、色信号Ｃ、音声信号Ｓの順にあらわれ、音声信号Ｓの高域側には、上隣接チャンネルの妨害信号ＵＤがあらわれている。このとき、受信周波数の帯域幅は、映像信号Ｐ、色信号Ｃ、音声信号Ｓを受信可能であり、かつ妨害信号ＵＤを十分に減衰可能な帯域幅に設定される。
【００４８】
次に、ＶＨＦローバンドにあるＳＥＣＡＭ−Ｌ方式のテレビジョン放送信号受信時のレスポンス特性について説明する。なお、ここでは比較例として、ＶＨＦローバンドにあるＰＡＬ方式のテレビジョン放送信号受信時と同一の回路構成で、ＳＥＣＡＭ−Ｌ方式のテレビジョン放送信号受信した場合と比較しつつ説明する。比較例におけるＳＥＣＡＭ−Ｌ方式のテレビジョン放送信号受信時には、図２（ｂ）に示すようなレスポンス特性が得られる。
【００４９】
このレスポンス特性においては、ＰＡＬ方式のテレビジョン放送信号に対して希望波信号および妨害信号が反転し、低域側から高域側にかけて音声信号Ｓ、色信号Ｃ、映像信号Ｐ（例えば、６３．７５ＭＨｚ）の順にあらわれ、音声信号Ｓの低域側には、下隣接チャンネルの妨害信号ＵＤ（例えば、５５．７５ＭＨｚ）があらわれる。このとき、比較例においては、受信周波数の帯域幅がＰＡＬ方式に合わされているため、音声信号Ｓに対する妨害信号ＵＤの影響が大きくなる。
【００５０】
そして、６３．７５ＭＨｚ（映像信号Ｐ）に７０ｄＢμＶ、５５．７５ＭＨｚ（妨害信号ＵＤ）に６８ｄＢμＶを入力すると、図３（ａ）に示すように、テレビジョン放送信号受信チューナから図示しない復調回路までの映像特性が、映像信号Ｐから色信号Ｃまでの中間部分で膨らんだ形となる。この条件においては、ビートが検知されていないが、ＥＭＣ耐性等により規定される基本性能に対して余裕がない。このため、比較例に係るテレビジョン放送信号受信チューナは、量産等による基本性能のばらつきを吸収できない。
【００５１】
一方、本実施の形態に係るテレビジョン放送信号受信チューナ１では、ＶＨＦローバンドにあるＳＥＣＡＭ−Ｌ方式のテレビジョン放送信号受信時に、スイッチ型電源１４がＯＮにされ、一次同調回路１１と二次同調回路１２とが結合用のインダクタＬ５により高周波的に結合される。また、スイッチング用トランジスタＴ１がＯＮにされ、結合用のインダクタＬ５に対して並列にスイッチング用トランジスタＴ１のＯＮ抵抗が接続される。これにより、ＰＡＬ方式のテレビジョン放送信号受信時と比較して、結合用のインダクタＬ５の結合度が小さく設定され、図２（ｃ）に示すようなレスポンス特性が得られる。
【００５２】
このレスポンス特性においては、比較例と比較して、受信周波数の帯域幅が狭められ、急峻な波形が形成される。また、低域側から高域側にかけて音声信号Ｓ、色信号Ｃ、映像信号Ｐ（例えば、６３．７５ＭＨｚ）の順にあらわれ、音声信号Ｓの低域側には、下隣接チャンネルの妨害信号ＵＤ（例えば、５５．７５ＭＨｚ）があらわれる。このとき、受信周波数の低域側において信号レベルが減衰されるため、下隣接チャンネルの妨害信号ＵＤの信号レベルが大きく減衰される。
【００５３】
そして、６３．７５ＭＨｚ（映像信号Ｐ）に７０ｄＢμＶ、５５．７５ＭＨｚ（妨害信号ＵＤ）に６８ｄＢμＶを入力すると、図３（ｂ）に示すように、テレビジョン放送信号受信チューナから図示しない復調回路までの映像特性が、映像信号Ｐから色信号Ｃに向かって窄む形となる。このとき、ＥＭＣ耐性等により規定される基本性能に対して、ビートの検知限は+６ｄＢμＶまで改善される。よって、本実施の形態に係るテレビジョン放送信号受信チューナは、量産等による基本性能のばらつきを吸収することが可能となる。
【００５４】
以上のように、本実施の形態に係るテレビジョン放送信号受信チューナ１によれば、ＰＡＬ方式のテレビジョン信号受信時には、結合用のインダクタＬ５による結合度が大きく調整されるため、上隣接の妨害信号を十分に減衰させる。一方、ＶＨＦローバンドにあるＳＥＣＡＭ−Ｌ方式のテレビジョン放送信号受信時には、ＶＨＦローバンドにあるＰＡＬ方式のテレビジョン放送信号受信時に比べて結合用のインダクタＬ５による結合度が小さく調整されることにより、受信周波数帯域が狭められ、下隣接の妨害信号を十分に減衰させる。したがって、ＰＡＬ方式およびＳＥＣＡＭ−Ｌ方式に対応したテレビジョン放送信号受信チューナにおいて、ＥＭＣ耐性等により規定される基本性能を確保させ、量産時の基本性能のばらつきを吸収することが可能となる。
【００５５】
なお、本実施の形態においては、ＯＮ抵抗を有するスイッチング用トランジスタにより、結合用のインダクタの結合度を調整する構成としたが、この構成に限定されるものではない。結合用のインダクタに対して抵抗を並列に接続する構成であればよく、例えば、図４に示すような代替回路でもよい。
【００５６】
図４に示す代替回路は、結合用のインダクタＬ１１のグランド側とは反対側の一端とグランドとの間に、スイッチングダイオードＳＤ１１、抵抗Ｒ１１、コンデンサＣ１１からなる直列回路が設けられている。このとき、抵抗Ｒ１１とコンデンサＣ１１との接続点は、抵抗Ｒ１２を介して図示しない電源が接続されている。この電源からの出力電圧がスイッチングダイオードＳＤ１１のカソードに印加されることで、結合用のインダクタＬ１１から抵抗Ｒ１１が切り離される。また、出力電圧の印加が停止されることで、結合用のインダクタＬ１１に対し抵抗Ｒ１１が並列に接続される。
【００５７】
このように、スイッチングダイオードＳＤ１１と抵抗Ｒ１１との直列回路により、スイッチング用トランジスタ内のＯＮ抵抗を接続する構成と比較して、結合用のインダクタＬ１１による結合度のばらつきを抑えることが可能となる。
【００５８】
また、本実施の形態においては、ＩＣ内に設けられたスイッチング用トランジスタにより、結合用のインダクタの結合度を調整する構成としたが、この構成に限定されるものではない。図５に示すように、ＩＣの外側に設けたスイッチング用トランジスタＴ２１により結合用のインダクタＬ２１の結合度を調整する構成としてもよい。この場合、結合用のインダクタＬ２１の一端とグランドとの間に、コンデンサＣ２１およびスイッチング用トランジスタＴ２１が設けられる。スイッチング用トランジスタＴ２１は、コレクタが抵抗Ｒ２１を介して電源Ｂ２１に接続され、エミッタがグランドに接地される。
【００５９】
そして、スイッチング用トランジスタＴ２１のＯＦＦ時には、結合用のインダクタＬ２１がスイッチング用トランジスタＴ２１のＯＮ抵抗から切り離される。一方、スイッチング用トランジスタＴ２１のＯＮ時には、結合用のインダクタＬ２１の一端がコンデンサＣ２１およびスイッチング用トランジスタＴ２１のコレクタ−エミッタ間を介してグランドに接地され、結合用のインダクタＬ２１がスイッチング用トランジスタＴ２１のＯＮ抵抗に並列に接続される。
【００６０】
このように、ＩＣ外にスイッチング用トランジスタを設けた構成であっても、ＰＡＬ方式およびＳＥＣＡＭ−Ｌ方式に対応したテレビジョン放送信号受信チューナにおいて、ＥＭＣ耐性等により規定される基本性能を確保させ、量産時の基本性能のばらつきを吸収することが可能となる。
【００６１】
また、本実施の形態においては、スイッチング用トランジスタ等により結合用のインダクタに抵抗を並列に接続させて、結合用のインダクタによる結合度をＶＨＦローバンドにあるＰＡＬ方式よりもＳＥＣＡＭ−Ｌ方式のテレビジョン放送信号受信時に小さくする構成としたが、この構成に限定されるものではない。結合用のインダクタによる結合度をＶＨＦローバンドにあるＰＡＬ方式よりもＳＥＣＡＭ−Ｌ方式のテレビジョン放送信号受信時に小さくする構成であればどのような構成であってもよい。
【００６２】
また、本実施の形態においては、結合用のインダクタを結合用コイルで構成したが、この構成に限定されるものではない。一次同調回路と二次同調回路とを高周波的に結合可能であればよく、例えば、シート状の導体板を積層して構成した積層型インダクタ、渦巻状の導体パターンを印刷して構成した薄膜型インダクタで構成してもよい。
【００６３】
また、本実施の形態においては、ＰＡＬ方式とＳＥＣＡＭ−Ｌ方式の放送信号に対応したテレビジョン放送信号受信チューナを例示して説明したがこの構成に限定されるものではない。本発明を、希望波信号の周波数の高低が反転するテレビジョン放送方式に対応するテレビジョン放送信号受信チューナに適用することも可能であり、例えば、ＳＥＣＡＭ−Ｌ方式と、それ以外の放送方式とに対応するものに適用してもよい。
【００６４】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６５】
以上説明したように、本発明は、基本性能を劣化させることなく、ＶＨＦローバンドにおけるＰＡＬ方式およびＳＥＣＡＭ−Ｌ方式に対応させることができるという効果を有し、特に、ＰＡＬ方式およびＳＥＣＡＭ方式のテレビジョン放送信号を受信可能なテレビジョン放送信号受信チューナに有用である。
【符号の説明】
【００６６】
１  テレビジョン放送信号受信チューナ
２  アンテナ同調回路
３  ＲＦアンプ回路
４  ＲＦ同調回路（複同調回路）
５  ＶＨＦミキサ回路
６  ＶＨＦ局部発振回路
７  ＩＦ同調回路
１１  一次同調回路
１２  二次同調回路
１３  バイパスライン
１４  スイッチ型電源
Ｌ５、Ｌ１１、Ｌ２１  インダクタ（結合用インダクタ）
Ｔ１、Ｔ２１  スイッチング用トランジスタ（スイッチ部）
ＳＤ１１  スイッチングダイオード（スイッチ部）
Ｒ１１  抵抗（スイッチ部）
【図１】
2011023891.tif 000003
【図２】
2011023891.tif 000004
【図３】
2011023891.tif 000005
【図４】
2011023891.tif 000006
【図５】
2011023891.tif 000007
【図６】
2011023891.tif 000008
【図７】
2011023891.tif 000009